【手続補正書】
【提出日】平成16年5月31日(2004.5.31)
【手続補正１】
【補正対象書類名】明細書
【補正対象項目名】発明の名称
【補正方法】変更
【補正の内容】
【発明の名称】印刷装置および印刷制御方法およびプログラム
【手続補正２】
【補正対象書類名】明細書
【補正対象項目名】特許請求の範囲
【補正方法】変更
【補正の内容】
【特許請求の範囲】
【請求項１】
特定の劣化度合いを超えて印刷するか否かを設定する設定手段と、
印刷情報に基づき画像を劣化させて印刷させる際、前記設定手段により設定に応じて、印刷情報に基づき印刷を実行する印刷手段とを有することを特徴とする印刷装置。
【請求項２】
前記印刷手段は、印刷情報に基づき画像を劣化させて印刷させる際、前記設定手段により特定の劣化度合いを超えて印刷しないと設定されている場合、印刷情報に基づき画像を劣化させて印刷を実行させず、前記実行手段は、印刷情報に基づき画像を劣化させて印刷させる際、前記設定手段により特定の劣化度合いを超えて印刷すると設定されている場合、印刷情報に基づき画像を劣化させて印刷を実行することを特徴とする請求項１記載の印刷装置。
【請求項３】
前記設定手段は操作パネルを含むことを特徴とする請求項１記載の印刷装置。
【請求項４】
前記劣化は画像圧縮による劣化を含むことを特徴とする請求項１記載の印刷装置。
【請求項５】
前記設定手段は、劣化の度合いを設定する手段を含むことを特徴とする請求項１記載の印刷装置。
【請求項６】
前記印刷手段は、印刷情報に基づき画像を劣化させて印刷させる際、前記設定手段により特定の劣化度合いを超えて印刷しないと設定されているか否かをページごとに判断し、前記設定手段により特定の劣化度合いを超えて印刷しないと設定されていると判断された場合、印刷情報に基づき画像を劣化させて印刷を実行させず、前記実行手段は、印刷情報に基づき画像を劣化させて印刷させる際、前記設定手段により特定の劣化度合いを超えて印刷すると設定されていると判断された場合、印刷情報に基づき画像を劣化させて印刷を実行することを特徴とする請求項１記載の印刷装置。
【請求項７】
特定の劣化度合いを超えて印刷するか否かを設定する設定ステップと、
印刷情報に基づき画像を劣化させて印刷させる際、前記設定ステップとにより設定に応じて、印刷情報に基づき印刷を実行する実行ステップと、
を有することを特徴とする印刷制御方法。
【請求項８】
前記実行ステップは、印刷情報に基づき画像を劣化させて印刷させる際、前記設定ステップにより特定の劣化度合いを超えて印刷しないと設定されている場合、印刷情報に基づき画像を劣化させて印刷を実行させず、前記実行ステップは、印刷情報に基づき画像を劣化させて印刷させる際、前記設定ステップにより特定の劣化度合いを超えて印刷すると設定されている場合、印刷情報に基づき画像を劣化させて印刷を実行することを特徴とする請求項７記載の印刷制御方法。
【請求項９】
前記設定ステップは操作パネルにより設定されることを特徴とする請求項７記載の印刷制御方法。
【請求項１０】
前記劣化は画像圧縮による劣化を含むことことを特徴とする請求項７記載の印刷制御方法。
【請求項１１】
前記設定ステップは、劣化の度合いを設定するステップを含むことを特徴とする請求項７記載の印刷制御方法。
【請求項１２】
前記実行ステップは、印刷情報に基づき画像を劣化させて印刷させる際、前記設定ステップにより特定の劣化度合いを超えて印刷しないと設定されているか否かをページごとに判断し、前記設定ステップにより特定の劣化度合いを超えて印刷しないと設定されていると判断された場合、印刷情報に基づき画像を劣化させて印刷を実行させず、前記実行ステップは、印刷情報に基づき画像を劣化させて印刷させる際、前記設定ステップにより特定の劣化度合いを超えて印刷すると設定されていると判断された場合、印刷情報に基づき画像を劣化させて印刷を実行することを特徴とする請求項７記載の印刷制御方法。
【請求項１３】
特定の劣化度合いを超えて印刷するか否かを設定する設定ステップと、
印刷情報に基づき画像を劣化させて印刷させる際、前記設定ステップにより設定に応じて、印刷情報に基づき印刷を実行する実行ステップとを有することを特徴とするプログラム。
【請求項１４】
前記実行ステップは、印刷情報に基づき画像を劣化させて印刷させる際、前記設定ステップにより特定の劣化度合いを超えて印刷しないと設定されている場合、印刷情報に基づき画像を劣化させて印刷を実行させず、前記実行ステップは、印刷情報に基づき画像を劣化させて印刷させる際、前記設定ステップにより特定の劣化度合いを超えて印刷すると設定されている場合、印刷情報に基づき画像を劣化させて印刷を実行することを特徴とする請求項１３記載のプログラム。
【請求項１５】
前記設定ステップは操作パネルにより設定されることを特徴とする請求項１３記載のプログラム。
【請求項１６】
前記劣化は画像圧縮による劣化を含むことことを特徴とする請求項１３記載のプログラム。
【請求項１７】
前記設定ステップは、劣化の度合いを設定するステップを含むことを特徴とする請求項１３記載のプログラム。
【請求項１８】
前記実行ステップは、印刷情報に基づき画像を劣化させて印刷させる際、前記設定ステップにより特定の劣化度合いを超えて印刷しないと設定されているか否かをページごとに判断し、前記設定ステップにより特定の劣化度合いを超えて印刷しないと設定されていると判断された場合、印刷情報に基づき画像を劣化させて印刷を実行させず、前記実行ステップは、印刷情報に基づき画像を劣化させて印刷させる際、前記設定ステップにより特定の劣化度合いを超えて印刷すると設定されていると判断された場合、印刷情報に基づき画像を劣化させて印刷を実行することを特徴とする請求項１３記載のプログラム。
【手続補正３】
【補正対象書類名】明細書
【補正対象項目名】０００１
【補正方法】変更
【補正の内容】
【０００１】
【発明の属する技術分野】
本発明は、入力される印刷情報を処理する印刷装置および印刷制御方法およびプログラムに関するものである。
【手続補正４】
【補正対象書類名】明細書
【補正対象項目名】００１２
【補正方法】変更
【補正の内容】
【００１２】
本発明は、上記の問題点を解決するためになされたもので、本発明の目的は、画像劣化の大きな圧縮画像を含む印刷出力を、印刷するか否かをユーザによる設定で選択することで、ユーザが意図しない劣化している印刷出力は実行しないようにして、ユーザビリティを向上させることができる印刷装置および印刷制御方法およびプログラムを提供することである。
【手続補正５】
【補正対象書類名】明細書
【補正対象項目名】００１４
【補正方法】変更
【補正の内容】
【００１４】
【課題を解決するための手段】
本発明に係る印刷装置は、特定の劣化度合いを超えて印刷するか否かを設定する設定手段と、印刷情報に基づき画像を劣化させて印刷させる際、前記設定手段により設定に応じて、印刷情報に基づき印刷を実行する印刷手段とを有することを特徴とする。
本発明に係る印刷制御方法は、特定の劣化度合いを超えて印刷するか否かを設定する設定ステップと、印刷情報に基づき画像を劣化させて印刷させる際、前記設定ステップとにより設定に応じて、印刷情報に基づき印刷を実行する実行ステップとを有することを特徴とする。
【手続補正６】
【補正対象書類名】明細書
【補正対象項目名】０１０８
【補正方法】変更
【補正の内容】
【０１０８】
【発明の効果】
以上説明したように、本発明によれば、画像劣化の大きな圧縮画像を含む印刷出力を、印刷するか否かをユーザによる設定で選択することで、ユーザが意図しない劣化している印刷出力は実行しないようにして、ユーザビリティを向上させることができるという効果を奏する。